(57)【要約】【課題】ＲＡＷ画像に対して画像処理を行う際の適切な指標を提供できる画像処理技術を提供する。【解決手段】画像処理装置では、ＲＡＷ画像データの読込みが可能であり、ＲＡＷ画像データにγ補正を施した階調変換画像を表示画面ＤＳ上の画像表示領域Ｄ１に表示する。この画像表示領域Ｄ１上においては、ユーザによる任意のポイントの指定が可能となっている。ここで、第１ポイントＰ１と第２ポイントＰ２とが指定された場合には、これらの露光量がＲＡＷ画像データに基づき算出され、その露光量差が露光量差表示領域Ｄ３に表示される。その結果、ユーザは階調変換画像を視認しつつ、指定ポイント間の露光量差を把握できるため、γ補正などの画像処理を行う際の適切な指標が得られることとなる。【選択図】図４
2006079306.tif 000002
【特許請求の範囲】
【請求項１】
画像処理方法であって、
(a)ＲＡＷ画像の画像データを取得する取得工程と、
(b)前記ＲＡＷ画像に対して表示手段の表示特性に係る階調変換処理を施し、階調変換画像を生成する画像生成工程と、
(c)前記ＲＡＷ画像の画像データに基づき、指定した複数の画像部位に関する露光量の比較情報を生成する比較情報生成工程と、
(d)前記階調変換画像と前記露光量の比較情報とを前記表示手段に表示させる表示工程と、
を備えることを特徴とする画像処理方法。
【請求項２】
請求項１に記載の画像処理方法において、
前記画像生成工程は、
(b-1)前記ＲＡＷ画像に対してリニア特性に係る階調変換処理を施し、リニア画像を生成する工程、
を有し、
前記比較情報生成工程は、
(c-1)前記リニア画像に基づき、前記露光量の比較情報を生成する工程、
を有することを特徴とする画像処理方法。
【請求項３】
請求項１または請求項２に記載の画像処理方法において、
前記複数の画像部位として、１の画像における複数のポイントが指定されることを特徴とする画像処理方法。
【請求項４】
請求項１または請求項２に記載の画像処理方法において、
前記複数の画像部位として、１の画像における画像全体と、当該１の画像における１以上のポイントとが指定されることを特徴とする画像処理方法。
【請求項５】
請求項１または請求項２に記載の画像処理方法において、
前記複数の画像部位として、複数の画像それぞれにおいてポイントが指定されることを特徴とする画像処理方法。
【請求項６】
請求項１または請求項２に記載の画像処理方法において、
前記複数の画像部位として、複数の画像それぞれにおいて画像全体が指定されることを特徴とする画像処理方法。
【請求項７】
請求項１または請求項２に記載の画像処理方法において、
前記複数の画像部位として、複数の画像において画像全体と、１以上のポイントとが指定されることを特徴とする画像処理方法。
【請求項８】
請求項１または請求項２に記載の画像処理方法において、
前記複数の画像部位として、１の画像における複数の画像部分、または複数の画像それぞれでの画像部分が指定されることを特徴とする画像処理方法。
【請求項９】
画像処理プログラムであって、
コンピュータに、
(a)取得したＲＡＷ画像に対して表示手段の表示特性に係る階調変換処理を施し、階調変換画像を生成する画像生成工程と、
(b)前記ＲＡＷ画像の画像データに基づき、指定した複数の画像部位に関する露光量の比較情報を生成する比較情報生成工程と、
(c)前記階調変換画像と前記露光量の比較情報とを前記表示手段に表示させる表示工程と、
を実行させることを特徴とする画像処理プログラム。
【請求項１０】
請求項９に記載の画像処理プログラムにおいて、
前記画像生成工程は、
(a-1)前記ＲＡＷ画像に対してリニア特性に係る階調変換処理を施し、リニア画像を生成する工程、
を有し、
前記比較情報生成工程は、
(b-1)前記リニア画像に基づき、前記露光量の比較情報を生成する工程、
を有することを特徴とする画像処理プログラム。
【請求項１１】
画像表示が可能な表示手段を有する画像処理装置であって、
(a)ＲＡＷ画像の画像データを取得する取得手段と、
(b)前記ＲＡＷ画像に対して前記表示手段の表示特性に係る階調変換処理を施し、階調変換画像を生成する画像生成手段と、
(c)前記ＲＡＷ画像の画像データに基づき、指定した複数の画像部位に関する露光量の比較情報を生成する比較情報生成手段と、
(d)前記階調変換画像と前記露光量の比較情報とを前記表示手段に表示させる表示制御手段と、
を備えることを特徴とする画像処理装置。
【請求項１２】
請求項１１に記載の画像処理装置において、
前記画像生成手段は、
(b-1)前記ＲＡＷ画像に対してリニア特性に係る階調変換処理を施し、リニア画像を生成する手段、
を有し、
前記比較情報生成手段は、
(c-1)前記リニア画像に基づき、前記露光量の比較情報を生成する手段、
を有することを特徴とする画像処理装置。
【発明の詳細な説明】
【技術分野】
【０００１】
本発明は、ＲＡＷ画像の画像データを用いる画像処理技術に関する。
【背景技術】
【０００２】
デジタルカメラ(撮像装置)においては、一般的な画像表示アプリケーションで画像表示が可能なＪＰＥＧ形式やＴＩＦＦ形式などのフォーマットに加え、独自の展開処理が必要なＲＡＷ形式のフォーマットによる画像記録を行えるものがある。
【０００３】
このＲＡＷ形式のデータは、撮影された生の画像データ(ＲＡＷ画像データ)と画像展開に用いる撮影パラメータとからなっており、パーソナルコンピュータなどにインストールされたＲＡＷ画像展開アプリケーションで画像展開を行う場合には、撮影時と異なった撮影パラメータによる画像展開(画像処理)が可能となっている。
【０００４】
したがって、ＲＡＷ画像データを利用すれば、撮影後に露出やホワイトバランス、階調変換、色空間などのパラメータを自在に変更できるため、ユーザにとって好適な画像の生成が可能となる。
【０００５】
このＲＡＷ画像データを利用する技術としては、例えば非特許文献１に開示されている。これは、ＲＡＷ画像データに対して階調変換した画像とＲＡＷ画像データに基づくヒストグラムとを表示するもので、ユーザは、適切に画像表示された階調変換画像を視認しつつ正確な輝度情報を得られることとなる。
【０００６】
【非特許文献１】Eastman Kodak Company、”KODAK PROFESSIONAL DCS Photo Desk v4.0 ”、［online］、［平成１６年８月２５日検索］、インターネット＜ＵＲＬ：http://www.kodak.com/global/en/professional/products/cameras/photoDesk/photoDeskMain.jhtml＞
【発明の開示】
【発明が解決しようとする課題】
【０００７】
しかしながら、上記の非特許文献１の技術では、ＲＡＷ画像に基づき階調変換された画像とともにヒストグラムが表示されるものの、ヒストグラムはその画像全体の輝度情報を表すものにすぎないため、ＲＡＷ画像に対してγ補正などの画像処理を施す際の指標として活用するには、適切でない。
【０００８】
本発明は、上記課題に鑑みてなされたものであり、ＲＡＷ画像に対して画像処理を行う際の適切な指標を提供できる画像処理技術を提供することを目的とする。
【課題を解決するための手段】
【０００９】
上記の課題を解決するため、請求項１の発明は、画像処理方法であって、(a)ＲＡＷ画像の画像データを取得する取得工程と、(b)前記ＲＡＷ画像に対して表示手段の表示特性に係る階調変換処理を施し、階調変換画像を生成する画像生成工程と、(c)前記ＲＡＷ画像の画像データに基づき、指定した複数の画像部位に関する露光量の比較情報を生成する比較情報生成工程と、(d)前記階調変換画像と前記露光量の比較情報とを前記表示手段に表示させる表示工程とを備える。
【００１０】
また、請求項２の発明は、請求項１の発明に係る画像処理方法において、前記画像生成工程は、(b-1)前記ＲＡＷ画像に対してリニア特性に係る階調変換処理を施し、リニア画像を生成する工程を有し、前記比較情報生成工程は、(c-1)前記リニア画像に基づき、前記露光量の比較情報を生成する工程を有する。
【００１１】
また、請求項３の発明は、請求項１または請求項２の発明に係る画像処理方法において、前記複数の画像部位として、１の画像における複数のポイントが指定される。
【００１２】
また、請求項４の発明は、請求項１または請求項２の発明に係る画像処理方法において、前記複数の画像部位として、１の画像における画像全体と、当該１の画像における１以上のポイントとが指定される。
【００１３】
また、請求項５の発明は、請求項１または請求項２の発明に係る画像処理方法において、前記複数の画像部位として、複数の画像それぞれにおいてポイントが指定される。
【００１４】
また、請求項６の発明は、請求項１または請求項２の発明に係る画像処理方法において、前記複数の画像部位として、複数の画像それぞれにおいて画像全体が指定される。
【００１５】
また、請求項７の発明は、請求項１または請求項２の発明に係る画像処理方法において、前記複数の画像部位として、複数の画像において画像全体と、１以上のポイントとが指定される。
【００１６】
また、請求項８の発明は、請求項１または請求項２の発明に係る画像処理方法において、前記複数の画像部位として、１の画像における複数の画像部分、または複数の画像それぞれでの画像部分が指定される。
【００１７】
また、請求項９の発明は、画像処理プログラムであって、コンピュータに、(a)取得したＲＡＷ画像に対して表示手段の表示特性に係る階調変換処理を施し、階調変換画像を生成する画像生成工程と、(b)前記ＲＡＷ画像の画像データに基づき、指定した複数の画像部位に関する露光量の比較情報を生成する比較情報生成工程と、(c)前記階調変換画像と前記露光量の比較情報とを前記表示手段に表示させる表示工程とを実行させる。
【００１８】
また、請求項１０の発明は、請求項９の発明に係る画像処理プログラムにおいて、前記画像生成工程は、(a-1)前記ＲＡＷ画像に対してリニア特性に係る階調変換処理を施し、リニア画像を生成する工程を有し、前記比較情報生成工程は、(b-1)前記リニア画像に基づき、前記露光量の比較情報を生成する工程を有する。
【００１９】
また、請求項１１の発明は、画像表示が可能な表示手段を有する画像処理装置であって、(a)ＲＡＷ画像の画像データを取得する取得手段と、(b)前記ＲＡＷ画像に対して前記表示手段の表示特性に係る階調変換処理を施し、階調変換画像を生成する画像生成手段と、(c)前記ＲＡＷ画像の画像データに基づき、指定した複数の画像部位に関する露光量の比較情報を生成する比較情報生成手段と、(d)前記階調変換画像と前記露光量の比較情報とを前記表示手段に表示させる表示制御手段とを備える。
【００２０】
また、請求項１２の発明は、請求項１１の発明に係る画像処理装置において、前記画像生成手段は、(b-1)前記ＲＡＷ画像に対してリニア特性に係る階調変換処理を施し、リニア画像を生成する手段を有し、前記比較情報生成手段は、(c-1)前記リニア画像に基づき、前記露光量の比較情報を生成する手段を有する。
【発明の効果】
【００２１】
請求項１ないし請求項１２の発明によれば、ＲＡＷ画像に対して表示手段の表示特性に係る階調変換処理を施した階調変換画像と、ＲＡＷ画像の画像データに基づき生成した複数の画像部位に関する露光量の比較情報とを表示手段に表示させる。その結果、ＲＡＷ画像に対して画像処理を行う際の適切な指標を提供できる。
【００２２】
特に、請求項２、請求項１０および請求項１２の発明においては、ＲＡＷ画像に対してリニア特性に係る階調変換処理を施したリニア画像に基づき露光量の比較情報を生成するため、露光量の比較情報を迅速に生成できる。
【発明を実施するための最良の形態】
【００２３】
＜画像処理装置の要部構成＞
図１は、本発明の実施形態に係る画像処理装置１の要部構成を示す概略図である。
【００２４】
画像処理装置１は、例えばパーソナルコンピュータとして構成されており、箱状の形状を有する処理部１０と、操作部１１と、表示部１２とを有している。
【００２５】
処理部１０の前面には、光ディスク９１を挿入するドライブ１０１と、メモリカード９２を挿入するドライブ１０２とが設けられている。
【００２６】
操作部１１は、マウス１１１とキーボード１１２とを有しており、ユーザからの画像処理装置１に対する操作入力を受付ける。
【００２７】
表示部１２は、例えばＣＲＴモニタで構成され、表示手段として機能する。
【００２８】
図２は、画像処理装置１の機能ブロックを示す図である。
【００２９】
画像処理装置１の処理部１０は、上記の操作部１１および表示部１２に接続する入出力Ｉ／Ｆ１３と、入出力Ｉ／Ｆ１３に伝送可能に接続する制御部１４とを備えている。また、処理部１０は、制御部１４に伝送可能に接続する記憶部１５と、入出力Ｉ／Ｆ１６とを備えている。
【００３０】
入出力Ｉ／Ｆ１３は、操作部１１および表示部１２と制御部１４との間でデータの送受をコントロールするためのインターフェースである。
【００３１】
記憶部１５は、例えばハードディスクとして構成されており、後述する画像処理プログラムＰＧなどを格納する。
【００３２】
入出力Ｉ／Ｆ１６は、ドライブ１０１、１０２を介して、記録媒体である光ディスク９１、メモリカード９２に対するデータの入出力を行うためのインターフェースである。この入出力Ｉ／Ｆ１６を介して、例えばメモリカード９２に記録されているＲＡＷ画像の画像データを画像処理装置１が取得できることとなる。
【００３３】
上記のＲＡＷ画像データについては、例えばＣＣＤなどの撮像素子を有するデジタルカメラで撮像された後に、ホワイトバランス処理や階調変換が行われず、撮像素子から出力されるアナログ画像信号をそのままデジタル化した「生」の画像データとなっている。よって、ＲＡＷ画像データは、被写体からの露光量情報が忠実にデータ化されていることとなる。なお、ＲＡＷ画像データには、シャッタースピードや絞り値などの撮影パラメータ(撮影情報)が付加されている。
【００３４】
制御部１４は、コンピュータとして働くＣＰＵ１４１およびメモリ１４２を有しており、画像処理装置１の動作を統括制御する部位である。この制御部１４で記憶部１５内の画像処理プログラムＰＧが実行されることにより、後述するように露光量差の表示が可能となる。
【００３５】
制御部１４のメモリ１４２には、光ディスク９１に記録されている画像処理プログラム
ＰＧなどのプログラムデータを入出力Ｉ／Ｆ１６を介してインストールできる。これにより、この格納したプログラムを画像処理装置１の動作に反映できる。
【００３６】
＜画像処理プログラムＰＧについて＞
図３は、画像処理プログラムＰＧの構成を説明するための図である。また、図４は、画像処理プログラムＰＧを実行した場合の表示画面ＤＳを示す図である。
【００３７】
画像処理プログラムＰＧは、サブルーチンとして働くＲＡＷ画像展開部ＰＧ１と、階調変換画像表示制御部ＰＧ２と、ヒストグラム作成部ＰＧ３と、ヒストグラム表示制御部ＰＧ４と、露光量差演算部ＰＧ５と、露光量差表示制御部ＰＧ６とを備えており、各部は制御部１４において実行されることで機能する。
【００３８】
ＲＡＷ画像展開部ＰＧ１は、ＲＡＷ画像Ｇ０に基づき階調変換画像Ｇ１を生成する階調変換画像作成部ＰＧ１１と、リニア画像Ｇ２を生成するリニア画像作成部ＰＧ１２とを備えている。
【００３９】
まず、階調変換画像作成部ＰＧ１１での処理について、図５に示すフローチャートを参照して説明する。
【００４０】
例えばメモリカード９２から読み出されメモリ１４２に記憶されているＲＡＷ画像Ｇ０を読み込む(ステップＳ１)。
【００４１】
次に、ステップＳ２では、ステップＳ１で読み込まれたＲＡＷ画像Ｇ０に対して、例えばホワイトバランス処理や、色補間処理などの前処理を施す。
【００４２】
ステップＳ３では、ステップＳ２で前処理された画像に対して、表示部１２の表示特性に対応した階調変換処理を施す。具体的には、図６に示す階調変換特性Ｒ１、つまり入力画像に対して明るくコントラストをつけるγ特性が記述されたデータテーブルを用いて、モニタ表示用の階調変換が行われる。
【００４３】
ステップＳ４では、ステップＳ３で階調変換された画像に対して、例えばシャープネス処理などの後処理を施し、階調変換画像Ｇ１を生成する。
【００４４】
ステップＳ５では、ステップＳ４で生成された階調変換画像Ｇ１を、制御部１４のメモリ１４２に記憶する。
【００４５】
リニア画像作成部ＰＧ１２での処理についても、図５に示すフローチャートと同様の動作を行う。ただし、ステップＳ３の動作については、図７に示す入出力の関係がリニアな階調変換特性Ｒ２が記述されたデータテーブルを用いてＲＡＷ画像に対する階調変換処理を施し、リニア画像Ｇ２を生成する。
【００４６】
図３に戻って、説明を続ける。
【００４７】
階調変換画像作成部ＰＧ１１で作成された階調変換画像Ｇ１は、階調変換画像表示制御部ＰＧ２によって、図４に示すウィンドウ画面ＤＳの画像表示領域Ｄ１に表示される。
【００４８】
ヒストグラム作成部ＰＧ３は、メモリ１４２内のリニア画像Ｇ２を読出し、リニア画像Ｇ２に基づきＲＧＢ各チャンネルのヒストグラムを作成する。そして、ヒストグラム作成部ＰＧ３で生成したヒストグラムは、ヒストグラム表示制御部ＰＧ４によって、図４に示すヒストグラム表示領域Ｄ２に表示される。
【００４９】
露光量差演算部ＰＧ５は、画像表示領域Ｄ１上で指定される第１ポイントＰ１および第２ポイントＰ２に対応した２ピクセルに関する各露光量を算出し、これらの露光量の差を演算する。この第１ポイントＰ１および第２ポイントＰ２については、図４に示すポイント指定ボタンＢ１をユーザがマウス１１１でクリックした後に、画像表示領域Ｄ１に表示されるカーソルをマウス１１１で移動して指定する。
【００５０】
露光量差演算部ＰＧ５で算出された指定ポイント間の露光量差は、露光量差表示制御部ＰＧ６によって、図４に示す露光量差表示領域Ｄ３に表示される。
【００５１】
以上のように画像処理プログラムＰＧを実行することにより、画像処理装置１に入力されたＲＡＷ画像に基づき通常のγ補正がなされた階調変換画像Ｇ１と露光量を表すリニア画像Ｇ２とが作成され、階調変換画像Ｇ１が画像表示領域Ｄ１に表示されるとともに、リニア画像Ｇ２に基づくヒストグラムの表示や、露光量差の表示が可能となる。
【００５２】
画像処理装置１では、上述のように複数のポイントの露光量差を表示できるが、さらに画面上で指定した複数の選択範囲の露光量差と、複数の画像での画像全体の露光量差との表示が可能となっている。これらの各露光量差の表示切替えについては、図４に示す選択ボタンＢ２をマウス１１１でクリックした後に図８のように画面上に表示されるプルダウンメニューＭＮにおいて、「任意の点」、「選択範囲」および「画像全体」の項目を選択することにより行われる。
【００５３】
以下では、(１)複数のポイントの露光量差、(２)複数の選択範囲の露光量差、および(３)複数の画像全体の露光量差に関する表示について、順に説明する。
【００５４】
＜露光量差の表示について＞
(１)複数のポイントの露光量差について
図９は、指定される２ポイントの露光量差の算出動作を示すフローチャートである。本動作は、露光量差演算部ＰＧ２で実行される。
【００５５】
まず、選択ボタンＢ２をクリックして図８のプルダウンメニューＭＮの「任意の点」を選択した後（選択項目は図４に示す選択項目表示領域Ｄ４に表示される）、図４に示すポイント指定ボタンＢ１をクリックし画像表示領域Ｄ１で指定された第１ポイントＰ１の露光量を算出する(ステップＳ１１)。この露光量の算出について詳しく説明する。
【００５６】
まず、第１ポイントＰ１を含むＲＡＷ画像Ｇ０に関するＥｘｉｆ情報等の撮影情報から基準露光量ＥＶ(ｏｐ)を求める。この基準露光量ＥＶ(ｏｐ)は、撮影情報内の露出制御値情報（シャッター速度や絞り値）に基づきＲＡＷ画像のＡＰＥＸ値として算出される。なお、ＡＰＥＸ値とは、シャッター速度や絞り値、ＩＳＯ感度という露出に関する要素を対数に変換し、加算・減算によって露出の演算を可能にするものである。
【００５７】
ＡＰＥＸ値に換算されたシャッター速度、絞り値およびＩＳＯ感度を、それぞれＴＶ、ＡＶおよびＳＶとし、被写体輝度のＡＰＥＸ値をＢＶとした場合、露光量ＥＶは、次の式(１)で表すことができる。
【００５８】
【数１】
2006079306.tif 000003
【００５９】
上式(１)に、ＲＡＷ画像Ｇ０の撮影情報として得られるシャッター速度ＴＶ(ｏｐ)、絞り値ＡＶ(ｏｐ)を代入すると、ＲＡＷ画像全体としての基準露光量ＥＶ(ｏｐ)が算出できることとなる。
【００６０】
露光量ＥＶ(ｏｐ)に対応するリニア画像Ｇ２の画素値をＩＮ(ｏｐ)、階調変換画像Ｇ１の画素値をＯＵＴ(ｏｐ)とすると、それぞれの関係は、図１０に示すように表せる。
【００６１】
すなわち、ＩＮ(ｏｐ)を含むリニア画像Ｇ２の画素値と、ＯＵＴ(ｏｐ)を含む階調変換画像Ｇ１の画素値との関係は、撮影に用いるデジタルカメラの階調変換特性Ｒ１(図６)に依存することとなる。
【００６２】
一方、ＩＮ(ｏｐ)を含むリニア画像Ｇ２の画素値と、ＥＶ(ｏｐ)を含む露光量との関係は、図１０に示すように１次関数で表現される。ここで、リニア画像Ｇ２における任意の画素値Ｘに対する露光量ＥＶ(Ｘ)については、次の式(２)で表すことができる。
【００６３】
【数２】
2006079306.tif 000004
【００６４】
したがって、画像表示領域Ｄ１に表示される階調変換画像Ｇ１上で任意に指定された第１ポイントＰ１の露光量は、階調変換画像Ｇ１上の第１ポイントＰ１と同一座標値となるリニア画像の画素値Ｘを、上記の式(２)に代入することで算出できる。
【００６５】
図９に戻って、説明を続ける。
【００６６】
ステップＳ１２では、図４に示す画像表示領域Ｄ１で指定された第２ポイントＰ２の露光量を算出する。この第２ポイントＰ２の露光量の算出は、ステップＳ１１における第１ポイントＰ１の露光量算出と同様の手法で行われる。
【００６７】
ステップＳ１３では、ステップＳ１１で算出された第１ポイントＰ１の露光量と、ステップＳ１２で算出された第２ポイントＰ２の露光量との差分計算を行い、露光量差を算出する。
【００６８】
以上のように算出された指定ポイント間の露光量差については、図４の露光量差表示領域Ｄ３において表示される。すなわち、１枚の画像において指定された複数のポイント(画像部位)に関する露光量差の情報（露光量の比較情報）がリニア画像Ｇ２に基づき生成された後に、露光量差の情報と階調変換画像Ｇ１とが表示部１２に同時に表示されることとなる。
【００６９】
(２)複数の選択範囲の露光量差について
図１１は、複数の選択範囲に関する露光量差の表示を説明するための図である。本図は、図４に示す表示画面ＤＳに対応している。
【００７０】
選択ボタンＢ２をクリックして図８のプルダウンメニューＭＮの「選択範囲」を選択した後（選択項目は図１１に示す選択表示領域Ｄ４に表示される）、図１１に示す画像表示領域Ｄ１上でマウス１１１のドラッグを行うことで、例えば第１選択範囲Ｅ１と第２選択範囲Ｅ２とが指定される。
【００７１】
このように指定された第１選択範囲Ｅ１と第２選択範囲Ｅ２との露光量については、まず選択範囲内の全画素について上記の式(２)を適用してトータルの露光量を算出する。そして、トータルの露光量それぞれの平均値を算出して、第１選択範囲Ｅ１と第２選択範囲Ｅ２との露光量とする。
【００７２】
次に、第１選択範囲Ｅ１の平均露光量と、第２選択範囲Ｅ２の平均露光量との差分計算を行い、露光量差が算出される。
【００７３】
以上のように算出された複数の選択範囲の露光量差については、図１１に示す露光量差表示領域Ｄ３において表示される。すなわち、１枚の画像において指定された複数の画像部分(画像部位)に関する露光量差の情報がＲＡＷ画像Ｇ０の画像データに基づき生成された後に、露光量差の情報と階調変換画像Ｇ１とが表示部１２に並列的に表示されることとなる。
【００７４】
(３)複数の画像全体の露光量差について
図１２は、複数の画像全体に関する露光量差の表示を説明するための図である。本図は、図４に示す表示画面ＤＳに対応している。
【００７５】
選択ボタンＢ２をクリックして図８のプルダウンメニューＭＮの「画像全体」を選択した後（選択項目は図１２に示す選択表示領域Ｄ４に表示される）、例えば２枚の画像を読み込んで、図１２に示す画像表示領域Ｄ１に第１画像Ｆ１および第２画像Ｆ２を表示する。なお、ヒストグラム表示領域Ｄ２では、図１２に示すように２枚の画像Ｆ１、Ｆ２それぞれに基づくヒストグラムＨ１、Ｈ２が表示される。
【００７６】
読み込まれた第１画像Ｆ１と第２画像Ｆ２との露光量については、各ＲＡＷ画像データに付与されている撮影情報のシャッター速度および絞り値とに基づき、上記の式(１)を利用することで、各画像全体の露光量ＥＶ(ｏｐ)が算出される。
【００７７】
次に、第１画像Ｆ１の全体露光量と、第２画像Ｆ２の全体露光量との差分計算を行い、露光量差を算出する。
【００７８】
以上のように算出された複数の画像全体の露光量差については、図１２に示す露光量差表示領域Ｄ３において表示される。すなわち、複数の画像それぞれにおいて指定された画像全体(画像部位)に関する露光量差の情報がＲＡＷ画像Ｇ０の画像データに基づき生成された後に、露光量差の情報と階調変換画像Ｇ１とが表示部１２に表示されることとなる。
【００７９】
以上のような画像処理装置１の動作により、階調変換画像を表示するとともに、指定される複数の画像部位に関する露光量差を表示するため、γ補正などの画像処理を行う際の適切な指標をユーザに提供できる。さらに、ヒストグラムを表示すれば、指標に準じる参考情報が増えることとなる。
【００８０】
なお、画像処理装置１においては、指定ポイントの露光量を上記の式(２)を用いて算出するのは必須でなく、画像上の各位置(ｘ，ｙ)の露光量(輝度)を、以下で説明する方法で算出しても良い。
【００８１】
輝度Ｂの被写体が光学系を通してＣＣＤなどの撮像素子の撮像面上に結像される場合には、撮像面上での照度Ｌは、次の式(３)で表すことができる。
【００８２】
【数３】
2006079306.tif 000005
【００８３】
ここで、ρ(ｘ，ｙ，ｆ'，Ｆ)は、撮像面上の画素の座標(ｘ，ｙ)に対応した位置における光学系の透過率であり、撮影レンズの焦点距離ｆ'と、光学系のＦナンバーＦとによって変化する。
【００８４】
照度Ｌの光が入射した場合、撮像素子からのアナログ信号をＡ／Ｄ変換器でデジタル変換した出力値ｎは、次の式(４)で表される。
【００８５】
【数４】
2006079306.tif 000006
【００８６】
ここで、ａは撮像素子の特性、撮像素子の出力を増幅するアンプの増幅率、Ａ／Ｄ変換器の設定などで決まる定数で、Ｔは露出時間である。この露出時間Ｔは、撮像素子の積分時間またはシャッターの開放時間に対応している。デジタルカメラでは、一般的に定数ａに相当する値を感度と呼んでいるため、感度をＳとすると上式(４)は次の式(５)のように書き換えることができる。
【００８７】
【数５】
2006079306.tif 000007
【００８８】
上式においては、デジタルカメラにおいて、一般的に感度Ｓを銀塩フィルムのＩＳＯ感度値に対応するように変換しているため、この変換のための定数をｂとしている。
【００８９】
上記の式(３)と式(５)とに基づき出力値ｎから輝度Ｂを算出する算出式は、次の式(６)となる。
【００９０】
【数６】
2006079306.tif 000008
【００９１】
ここで、ｋについては、式(３)および式(５)での定数をまとめたものである。
【００９２】
上式(６)の定数ｋと関数ρとについては、画像処理プログラムＰＧが内部的に保持し、ＲＡＷ画像データに付与された撮影時のＦナンバーＦ、シャッター速度Ｔおよび撮像感度Ｓと、出力値ｎに対応するリニア画像の画素値とを上式(６)に代入することで、各画素ごとの輝度値が算出されることとなる。そして、式(１)を利用することにより、輝度値ＢのＡＰＥＸ値としてのＢＶを用いて露光量ＥＶが求まることとなる。
【００９３】
なお、上述の関数ρについては、画像を構成する画素の全ての座標、焦点距離およびＦナンバーの組合わせに対応するためには膨大なデータ量となるので、離散的な値で関数ρを表現したデータテーブルなどに基づき補間演算により導出するようにしても良い。なお、定数ｋと関数ρとは、デジタルカメラの撮影データとして記録させるようにしてもよい。
【００９４】
上記の式(６)を利用することにより、第１ポイントおよび第２ポイントの露光量が算出でき、その差分をとることで露光量差が求められることとなる。
【００９５】
＜変形例＞
◎上記の実施形態については、図４に示すように１枚の画像上における複数のポイントＰ１、Ｐ２間の露光量差を表示するのは必須でなく、複数の画像それぞれで指定されるポイントに関する露光量差を表示するようにしても良い。また、ユーザが指定した１以上のポイントと、同一画像または別の画像における選択領域との露光量差を表示しても良い。また、ユーザが指定した１以上のポイントと、同一画像または別の画像(複数の画像)での画像全体との露光量差を表示するようにしても良い。
【００９６】
◎上記の実施形態については、図１１に示すように１枚の画像上における複数の選択範囲Ｅ１、Ｅ２に関する露光量差を表示するのは必須でなく、複数の画像それぞれで指定される選択範囲(画像部分)に関する露光量差を表示するようにしても良い。
【００９７】
◎上記の実施形態におけるリニア画像については、ＲＧＢ３色で構成される画像データであるのは必須でなく、Ｇ画素だけで構成される画像データであっても良い。このようにＧ色のみの画像データをリニア画像として使用すれば、ホワイトバランス処理が行われてもＧ画素への影響がないため、被写体の輝度を忠実に表現した画像データとして利用できることとなる。
【００９８】
また、リニア画像として、Ｙ(輝度)=0.3*Red+0.6*Green+0.1*Blueとした場合の輝度画像を利用しても良い。
【００９９】
◎上記の実施形態については、露光量差を表示するのは必須でなく、各画像部位の露光量を並列的に表示するようにしても良い。この場合も、露光量の比較情報を提供できることとなる。
【０１００】
◎上記の実施形態については、２つの画像部位に関する露光量差を表示するのは必須でなく、３以上の画像部位に関する各露光量差を表示するようにしても良い。
【図面の簡単な説明】
【０１０１】
【図１】本発明の実施形態に係る画像処理装置１の要部構成を示す概略図である。
【図２】画像処理装置１の機能ブロックを示す図である。
【図３】画像処理プログラムＰＧの構成を説明するための図である。
【図４】画像処理プログラムＰＧを実行した場合の表示画面ＤＳを示す図である。
【図５】階調変換画像作成部ＰＧ１１での処理を示すフローチャートである。
【図６】階調変換画像作成部ＰＧ１１で用いる階調変換特性Ｒ１を説明するための図である。
【図７】リニア画像作成部ＰＧ１２で用いる階調変換特性Ｒ２を説明するための図である。
【図８】プルダウンメニューＭＮを説明するための図である。
【図９】指定される２ポイントの露光量差の算出動作を示すフローチャートである。
【図１０】階調変換画像Ｇ１およびリニア画像Ｇ２の画素値と、露光量との関係を説明するための図である。
【図１１】複数の選択範囲に関する露光量差の表示を説明するための図である。
【図１２】複数の画像全体に関する露光量差の表示を説明するための図である。
【符号の説明】
【０１０２】
１  画像処理装置
１２  表示部
１４  制御部
１４２  メモリ
Ｄ１  画像表示領域
Ｄ２  ヒストグラム表示領域
Ｄ３  露光量差表示領域
Ｅ１  第１選択範囲
Ｅ２  第２選択範囲
Ｆ１  第１画像
Ｆ２  第２画像
Ｇ０  ＲＡＷ画像
Ｇ１  階調変換画像
Ｇ２  リニア画像
Ｐ１  第１ポイント
Ｐ２  第２ポイント
ＰＧ  画像処理プログラム
ＰＧ１  ＲＡＷ画像展開部
ＰＧ２  階調変換画像表示制御部
ＰＧ３  ヒストグラム作成部
ＰＧ４  ヒストグラム表示制御部
ＰＧ５  露光量差演算部
ＰＧ６  露光量差表示制御部
ＰＧ１１  階調変換画像作成部
ＰＧ１２  リニア画像作成部
【図１】
2006079306.tif 000009
【図２】
2006079306.tif 000010
【図３】
2006079306.tif 000011
【図４】
2006079306.tif 000012
【図５】
2006079306.tif 000013
【図６】
2006079306.tif 000014
【図７】
2006079306.tif 000015
【図８】
2006079306.tif 000016
【図９】
2006079306.tif 000017
【図１０】
2006079306.tif 000018
【図１１】
2006079306.tif 000019
【図１２】
2006079306.tif 000020